(57)【要約】【課題】容易に表示画像を変形させることができる電子機器を提供する。【解決手段】携帯型の電子機器４であって、画像を表示する表示部１０と、前記電子機器の傾きを検出する検出部４０と、前記検出部において検出した検出値に基づいて、前記表示部に表示された前記画像の前記画像データを変形する画像制御部４４と、前記画像制御部において変形した前記画像データを外部機器６に対して送信する通信部５０とを備える。【選択図】図２
2011135298.tif 000002
【特許請求の範囲】
【請求項１】
携帯型の電子機器であって、
画像を表示する表示部と、
前記電子機器の傾きを検出する検出部と、
前記検出部において検出した検出値に基づいて、前記表示部に表示された前記画像の前記画像データを変形する画像制御部と、
前記画像制御部において変形した前記画像データを外部機器に対して送信する通信部と
を備えることを特徴とする電子機器。
【請求項２】
前記検出部は、前記表示部の表示面に対する法線回りの傾きを検出することを特徴とする請求項１記載の電子機器。
【請求項３】
前記検出部は、前記電子機器が±９０度の倍数角度傾斜するごとに前記電子機器の傾きを検出することを特徴とする請求項２記載の電子機器。
【請求項４】
前記検出部は、前記表示面の法線に直交する垂線回りの傾きを検出することを特徴とする請求項１記載の電子機器。
【請求項５】
前記検出部は、前記表示面の法線に直交する水平線回りの傾きを検出することを特徴とする請求項１記載の電子機器。
【請求項６】
前記表示部に前記画像の一部が表示されている場合において、前記検出値に基づいて前記画像の表示エリアを変更する表示制御部を更に備え、
前記通信部は、前記表示制御部により変更された前記表示エリアの画像データを前記外部機器に対して送信することを特徴とする請求項１〜５の何れか一項に記載の電子機器。
【請求項７】
前記表示部にサムネイル画像が表示されている場合において、前記検出値に基づいて前記表示部に表示するサムネイル画像を変更するデータ制御部を更に備え、
前記通信部は、前記データ制御部により変更された前記サムネイル画像の画像データを前記外部機器に対して送信することを特徴とする請求項１〜６の何れか一項に記載の電子機器。
【請求項８】
被写体を撮像する撮像部を更に備え、
前記表示部は、前記撮像部からの撮像データに基づくスルー画の表示を行なうことを特徴とする請求項１〜７の何れか一項に記載の電子機器。
【請求項９】
携帯型の電子機器と、画像表示装置を備える電子機器システムであって、
前記電子機器は、
前記電子機器の傾きを検出する検出部と、
前記検出部で検出した前記検出値を前記画像表示装置に対して送信する送信部と
を備え、
前記画像表示装置は、
前記電子機器の前記送信部から送信された前記検出値を受信する受信部と、
画像データを記憶する記憶部と、
前記受信部において受信した検出値に基づいて、前記記憶部に記憶されている前記画像データの変形を行なう画像制御部と、
前記画像制御部において変形した前記画像データに基づく画像を表示する表示部と
を備えることを特徴とする電子機器システム。
【請求項１０】
前記検出部は、前記表示部の表示面に対する法線回りの傾きを検出することを特徴とする請求項９記載の電子機器システム。
【請求項１１】
前記検出部は、前記電子機器が±９０度の倍数角度傾斜するごとに前記電子機器の傾きを検出することを特徴とする請求項１０記載の電子機器システム。
【請求項１２】
前記検出部は、前記表示面の法線に直交する垂線回りの傾きを検出することを特徴とする請求項９記載の電子機器システム。
【請求項１３】
前記検出部は、前記表示面の法線に直交する水平線回りの傾きを検出することを特徴とする請求項９記載の電子機器システム。
【請求項１４】
前記表示部に前記画像の一部が表示されている場合において、前記検出値に基づいて前記画像の表示エリアを変更する表示制御部を更に備えることを特徴とする請求項９〜１３の何れか一項に記載の電子機器システム。
【請求項１５】
前記表示部にサムネイル画像が表示されている場合において、前記検出値に基づいて前記表示部に表示するサムネイル画像を変更するデータ制御部を更に備えることを特徴とする請求項９〜１４の何れか一項に記載の電子機器システム。
【発明の詳細な説明】
【技術分野】
【０００１】
本発明は、電子機器及び電子機器システムに関するものである。
【背景技術】
【０００２】
表示画像の向きを回転させることができる表示装置が知られている（例えば、特許文献１参照）。
【先行技術文献】
【特許文献】
【０００３】
【特許文献１】特開２００８−２０３８４７号公報
【発明の概要】
【発明が解決しようとする課題】
【０００４】
しかし、上述の表示装置において表示画像の向きを回転させるには、複数回のボタン操作を行う必要があった。
【０００５】
本発明の目的は、容易に表示画像を変形させることができる電子機器及び電子機器システムを提供することである。
【課題を解決するための手段】
【０００６】
本発明の電子機器は、携帯型の電子機器であって、画像を表示する表示部と、前記電子機器の傾きを検出する検出部と、前記検出部において検出した検出値に基づいて、前記表示部に表示された前記画像の前記画像データを変形する画像制御部と、前記画像制御部において変形した前記画像データを外部機器に対して送信する通信部とを備えることを特徴とする。
【０００７】
また、本発明の電子機器システムは、携帯型の電子機器と、画像表示装置を備える電子機器システムであって、前記電子機器は、前記電子機器の傾きを検出する検出部と、前記検出部で検出した前記検出値を前記画像表示装置に対して送信する送信部とを備え、前記画像表示装置は、前記電子機器の前記送信部から送信された前記検出値を受信する受信部と、画像データを記憶する記憶部と、前記受信部において受信した検出値に基づいて、前記記憶部に記憶されている前記画像データの変形を行なう画像制御部と、前記画像制御部において変形した前記画像データに基づく画像を表示する表示部とを備えることを特徴とする。
【発明の効果】
【０００８】
本発明の電子機器及び電子機器システムによれば、容易に表示画像を変形させることができる。
【図面の簡単な説明】
【０００９】
【図１】実施の形態に係るカメラシステムの構成を示す図である。
【図２】実施の形態に係るカメラシステムのシステム構成を示すブロック図である。
【図３】実施の形態に係るカメラシステムの縦横固定角回転モードの概略を示す図である。
【図４】実施の形態に係るカメラシステムの縦横固定角回転モードの処理を示すフローチャートである。
【図５】実施の形態に係るカメラシステムにおける画像の傾斜方向を示す図である。
【図６】実施の形態に係るカメラシステムの縦横フリー回転モードの概略を示す図である。
【図７】実施の形態に係るカメラシステムの縦横フリー回転モードの処理を示すフローチャートである。
【図８】実施の形態に係るカメラシステムの第１フリー変形モードの概略を示す図である。
【図９】実施の形態に係るカメラシステムの第１フリー変形モードの処理を示すフローチャートである。
【図１０】実施の形態に係るカメラシステムの第２フリー変形モードの概略を示す図である。
【図１１】実施の形態に係るカメラシステムの第２フリー変形モードの処理を示すフローチャートである。
【図１２】実施の形態に係るカメラシステムのライブビューモードの処理を示すフローチャートである。
【発明を実施するための形態】
【００１０】
以下、図面を参照して実施の形態に係るカメラシステムについて説明する。図１は、実施の形態に係るカメラシステム２の構成を示す図である。カメラシステム２は、デジタルカメラ４とデジタルフォトフレーム（以下、ＤＰＦという。）６とを備えている。デジタルカメラ４は、筐体８を備え、筐体８の背面には、撮像された画像やメニュー画面等を表示するＬＣＤ表示部１０、ＬＣＤ表示部１０にモードメニューを表示するモードボタン１１、ＬＣＤ表示部１０に表示されたモードメニューの選択等を行うマルチセレクタ１２、マルチセレクタ１２で選択したモードの設定等を行うＯＫボタン１３、画像データに基づく画像の再生を行う再生モードを設定する再生ボタン１５等が設けられている。また、筐体８の上面には、電源スイッチ１４、レリーズ指示を行うレリーズボタン１６が設けられている。ＤＰＦ６は、ガラスやプラスチック等からなる装置本体２０を備え、装置本体２０の前面には、鑑賞用の画像を表示するディスプレイ２２が設けられている。
【００１１】
図２は、実施の形態に係るカメラシステムのシステム構成を示すブロック図である。デジタルカメラ４はＣＰＵ３０を備え、ＣＰＵ３０には、操作部３２、ＬＣＤ表示部１０の表示を制御する表示制御部３４、被写体を撮像するためのＣＣＤ等により構成される撮像素子を有する撮像部３６、撮像部３６から出力された撮像信号を図示しないＡ／Ｄ変換部においてＡ／Ｄ変換することにより生成された画像データ等を記憶する記憶部３８、デジタルカメラ４の筐体８の傾斜角度を計測する加速度センサ４０、加速度センサ４０において計測した傾斜角度に基づいて画像データに基づく画像を傾斜させる変形を行い、表示用画像データを生成する画像制御部４４、撮像された画像の画像データを記憶するメモリカード４６、ＤＰＦ６との間の無線通信を行う無線通信部５０が接続されている。ここで、操作部３２は、モードボタン１１、マルチセレクタ１２、ＯＫボタン１３、電源スイッチ１４、再生ボタン１５、レリーズボタン１６、スルー画表示を行うライブビューモードを設定するライブビューボタン（図示せず）等を含む。
【００１２】
ＤＰＦ６はＣＰＵ６０を備え、ＣＰＵ６０には、図示しない電源スイッチ等を備える操作部６２、ディスプレイ２２の表示を制御する表示制御部６４、デジタルカメラ４から受信した表示用画像データを記憶する記憶部６６、ディスプレイ２２に表示された表示用画像データを記憶するメモリカード６８、デジタルカメラ４との間の無線通信を行う無線通信部７２が接続されている。
【００１３】
次に、図１及び図２を参照して実施の形態に係るカメラシステムの基本的な動作（デジタルカメラ４の筺体８を傾けない場合の動作）について説明する。まず、操作者によりデジタルカメラ４の電源スイッチ１４がオンされ、再生ボタン１５が操作されることにより再生モードが設定されると、ＣＰＵ３０は、メモリカード４６に記憶されている画像データを読み出し、画像制御部４４において画像データに所定の画像処理を行うことにより表示用画像データを生成し、表示制御部３４を制御して表示用画像データに基づく画像をＬＣＤ表示部１０に表示する。次に、デジタルカメラ４のＣＰＵ３０は、無線通信部５０、ＤＰＦ６の無線通信部７２を介して表示用画像データをＤＰＦ６に対して送信する。ＤＰＦ６が無線通信部７２を介して表示用画像データを受信すると、ＣＰＵ６０は、受信した表示用画像データを記憶部６６に記憶する。次に、ＣＰＵ６０は、記憶部６６から表示用画像データを読み出し、表示制御部６４を制御して受信した表示用画像データに基づく画像をディスプレイ２２に表示する。表示された画像の表示用画像データはメモリカード６８に記憶される。
【００１４】
なお、画像制御部４４と同様の機能を有する画像制御部をＤＰＦ６側に設け、ＤＰＦ６側で表示用画像データを生成するようにしてもよい。この場合、デジタルカメラ４のＣＰＵ３０は、画像データを無線通信部５０、ＤＰＦ６の無線通信部７２を介してＤＰＦ６に対して送信する。ＤＰＦ６のＣＰＵ６０は、無線通信部７２を介して画像データを受信するとともに、画像制御部を制御してディスプレイ２２に表示する表示用画像データの生成を行う。次に、表示制御部６４を制御して表示用画像データに基づく画像をディスプレイ２２に表示する。表示された画像の表示用画像データはメモリカード６８に記憶される。
【００１５】
図３は、実施の形態に係るカメラシステムの縦横固定角回転モードの処理を示す図である。この縦横固定角回転モードにおいて、デジタルカメラ４の筐体８をＬＣＤ表示部１０の表示面に対する法線回りに９０度回転（水平方向に９０度回転）させると、ＬＣＤ表示部１０に表示されている画像は、筐体８と共に９０度回転する。この場合、ＤＰＦ６のディスプレイ２２にもデジタルカメラ４のＬＣＤ表示部１０に表示されている状態の画像が表示される。例えば、図３においてデジタルカメラ４のＬＣＤ表示部１０には樹木が直立した状態で表示されている。この状態において、デジタルカメラ４の筐体８をＬＣＤ表示部１０の表示面に対する法線回りに９０度回転させると、ＬＣＤ表示部１０に表示されている画像は、筐体８と共に９０度回転し、ＤＰＦ６のディスプレイ２２には、樹木が９０度転倒した状態の画像が表示される。
【００１６】
次に、図４に示すフローチャートを参照して実施の形態に係るカメラシステムにおける縦横固定角回転モードの処理について説明する。まず、再生モードにおいてモードボタン１１が押下されるとＬＣＤ表示部１０にモードメニューが表示される。マルチセレクタ１２が操作されることによりモードメニューから縦横固定角回転モードが選択され、ＯＫボタン１３が押下されると縦横固定角回転モードが設定される（ステップＳ１１）。次に、ＣＰＵ３０は、加速度センサ４０により、ＬＣＤ表示部１０の表示面に対する法線回りの筐体８の傾斜角度を計測する（ステップＳ１２）。なお、縦横固定角回転モード設定時において計測した筐体８の傾斜角度を基準（０°基準）として以後の傾斜角度の計測を行う。次に、ＣＰＵ３０は、筐体８の傾斜方向を判定する（ステップＳ１３）。即ち、筐体８が図５に示す＋方向に傾いた場合、傾斜方向は＋側であると判定し、図５に示す−方向に傾いた場合、傾斜方向は−側であると判定する。傾斜方向が＋側であると判定した場合は、筐体８が＋側に９０度の倍数角度傾斜するごとに、画像制御部４４において画像データに基づく画像を、＋側に９０度の倍数角度回転させる変形を行い（ステップＳ１４）、ディスプレイ２２に表示する表示用画像データの生成を行う。例えば、筐体８が＋側に９０度傾けられた時に画像制御部４４において画像データに基づく画像を、＋側に９０度回転させる変形を行うことにより表示用画像データを生成する。この表示用画像データが無線通信部５０を介してＤＰＦ６に対して送信され（ステップＳ１６）、＋側に９０度回転した画像がディスプレイ２２に表示される（図３参照）。なお、筐体８が更に＋側に９０度傾けられた時には、１８０度回転した画像がディスプレイ２２に表示される。
【００１７】
一方、傾斜方向が−側であると判定した場合は、筐体８が−側に９０度の倍数角度傾斜するごとに、画像制御部４４において画像データに基づく画像を、−側に９０度の倍数角度回転させる変形を行い（ステップＳ１５）、ディスプレイ２２に表示する表示用画像データの生成を行う。例えば、筐体８が−側に９０度傾けられた時に画像制御部４４において画像データに基づく画像を、−側に９０度回転させる変形を行うことにより表示用画像データを生成する。この表示用画像データが無線通信部５０を介してＤＰＦ６に対して送信され（ステップＳ１６）、−側に９０度回転した画像がディスプレイ２２に表示される（図３参照）。なお、筐体８が更に−側に９０度傾けられた時には、１８０度回転した画像がディスプレイ２２に表示される。
【００１８】
なお、ＤＰＦ６側で画像データを変形し、表示用画像データを生成するようにしてもよい。即ち、デジタルカメラ４のＣＰＵ３０は、筐体８の傾斜角度を計測し、筐体８の傾斜方向の判定を行った後、画像データと共に傾斜角度に関する情報及び傾斜方向に関する情報を無線通信部５０、ＤＰＦ６の無線通信部７２を介してＤＰＦ６に対して送信するようにしてもよい。この場合、ＤＰＦ６のＣＰＵ６０は、無線通信部７２を介して画像データ、傾斜角度に関する情報及び傾斜方向に関する情報を受信すると、図示しないＤＰＦ６側の画像制御部を制御して傾斜角度及び傾斜方向に基づいて画像データに基づく画像を、９０度の倍数角度回転させる変形を行い、ディスプレイ２２に表示する表示用画像データの生成を行う。次に、表示制御部６４を制御して表示用画像データに基づく画像をディスプレイ２２に表示する。
【００１９】
図６は、実施の形態に係るカメラシステムの縦横フリー回転モードの処理を示す図である。この縦横フリー回転モードにおいて、デジタルカメラ４の筐体８をＬＣＤ表示部１０の表示面に対する法線回りに傾ける（水平方向に傾ける）と、ＬＣＤ表示部１０に表示されている画像は、筐体８と共に傾く。この場合、ＤＰＦ６のディスプレイ２２にもデジタルカメラ４のＬＣＤ表示部１０に表示されている状態の画像が表示される。例えば、図６においてデジタルカメラ４のＬＣＤ表示部１０には樹木が直立した状態で表示されている。この状態において、デジタルカメラ４の筐体８をＬＣＤ表示部１０の表示面に対する法線回りに傾けると、ＬＣＤ表示部１０に表示されている画像は、筐体８と共に傾き、ＤＰＦ６のディスプレイ２２には、斜めに傾いた状態の樹木の画像が表示される。
【００２０】
次に、図７に示すフローチャートを参照して実施の形態に係るカメラシステムにおける縦横固定角回転モードの処理について説明する。まず、再生モードにおいてモードボタン１１が押下されＬＣＤ表示部１０にモードメニューが表示される。マルチセレクタ１２が操作されることによりモードメニューから縦横フリー回転モードが選択され、ＯＫボタン１３が押下されると縦横フリー回転モードが設定される（ステップＳ２１）。次に、ＣＰＵ３０は、加速度センサ４０により、ＬＣＤ表示部１０に対する法線回りの筐体８の傾斜角度を計測する（ステップＳ２２）。なお、縦横フリー回転モード設定時において計測した筐体８の傾斜角度を基準（０°基準）として以後の傾斜角度の計測を行う。次に、ＣＰＵ３０は、画像制御部４４を制御してＬＣＤ表示部１０に表示している画像の画像データを、計測した傾斜角度傾ける変形を行い、ディスプレイ２２に表示する表示用画像データの生成を行う（ステップＳ２３）。この表示用画像データは、無線通信部５０を介してＤＰＦ６に対して送信され（ステップＳ２４）、斜めに傾いた状態の画像がディスプレイ２２に表示される（図６参照）。
【００２１】
なお、ＤＰＦ６側で画像データを変形し、表示用画像データを生成するようにしてもよい。即ち、デジタルカメラ４のＣＰＵ３０は、筐体８の傾斜角度を計測した後、画像データと共に傾斜角度に関する情報を無線通信部５０、ＤＰＦ６の無線通信部７２を介してＤＰＦ６に対して送信するようにしてもよい。この場合、ＤＰＦ６のＣＰＵ６０は、無線通信部７２を介して画像データ及び傾斜角度に関する情報を受信すると、図示しないＤＰＦ６側の画像制御部を制御して傾斜角度に基づいて画像データに基づく画像を、計測した傾斜角度傾ける変形を行い、ディスプレイ２２に表示する表示用画像データの生成を行う。次に、表示制御部６４を制御して表示用画像データに基づく画像をディスプレイ２２に表示する。
【００２２】
図８は、実施の形態に係るカメラシステムの第１フリー変形モードの処理を示す図である。この第１フリー変形モードにおいて、デジタルカメラ４の筐体８をＬＣＤ表示部１０の表示面に対する法線に直交する垂線回りに傾ける（奥行き方向に傾ける）と、ＬＣＤ表示部１０に表示されている画像は、筐体８と共に傾く。この場合、ＤＰＦ６のディスプレイ２２にもデジタルカメラ４のＬＣＤ表示部１０に表示されている画像に関して見えている状態の画像が表示される。例えば、図８において、デジタルカメラ４のＬＣＤ表示部１０には正面から見た樹木の画像が表示されている。この状態において、デジタルカメラ４の筐体８をＬＣＤ表示部１０の表示面に対する法線に直交する垂線回りに傾けると、ＬＣＤ表示部１０に表示されている画像は、筐体８と共に傾き、ＤＰＦ６のディスプレイ２２には、斜めの方角から見たような樹木の画像が表示される。
【００２３】
次に、図９に示すフローチャートを参照して実施の形態に係るカメラシステムにおける第１フリー変形モードの処理について説明する。まず、再生モードにおいてモードボタン１１が押下されるとＬＣＤ表示部１０にモードメニューが表示される。マルチセレクタ１２が操作されることによりモードメニューから第１フリー変形モードが選択され、ＯＫボタン１３が押下されると第１フリー変形モードが設定される（ステップＳ３１）。次に、ＣＰＵ３０は、加速度センサ４０により、ＬＣＤ表示部１０に対する法線に直交する垂線回りの筐体８の傾斜角度を計測する（ステップＳ３２）。なお、第１フリー変形モード設定時において計測した筐体８の傾斜角度を基準（０°基準）として以後の傾斜角度の計測を行う。次に、ＣＰＵ３０は、画像制御部４４を制御してＬＣＤ表示部１０に表示している画像の画像データを、計測した傾斜角度傾ける変形を行い、ディスプレイ２２に表示する表示用画像データの生成を行う（ステップＳ３３）。この表示用画像データは、無線通信部５０を介してＤＰＦ６に対して送信され（ステップＳ３４）、斜めの方角から見たような画像がディスプレイ２２に表示される（図８参照）。
【００２４】
なお、ＤＰＦ６側で画像データを変形し、表示用画像データを生成するようにしてもよい。即ち、デジタルカメラ４のＣＰＵ３０は、筐体８の傾斜角度を計測した後、画像データと共に傾斜角度に関する情報を無線通信部５０、ＤＰＦ６の無線通信部７２を介してＤＰＦ６に対して送信するようにしてもよい。この場合、ＤＰＦ６のＣＰＵ６０は、無線通信部７２を介して画像データ及び傾斜角度に関する情報を受信すると、図示しないＤＰＦ６側の画像制御部を制御して傾斜角度に基づいて画像データに基づく画像を、計測した傾斜角度傾ける変形を行い、ディスプレイ２２に表示する表示用画像データの生成を行う。次に、表示制御部６４を制御して表示用画像データに基づく画像をディスプレイ２２に表示する。
【００２５】
図１０は、実施の形態に係るカメラシステムの第２フリー変形モードの処理を示す図である。この第２フリー変形モードにおいて、デジタルカメラ４の筐体８をＬＣＤ表示部１０の表示面に対する法線に直交する水平線回りに傾ける（奥行き方向に傾ける）と、ＬＣＤ表示部１０に表示されている画像は、筐体８と共に傾く。この場合、ＤＰＦ６のディスプレイ２２にもデジタルカメラ４のＬＣＤ表示部１０に表示されている画像に関して見えている状態の画像が表示される。例えば、図１０において、デジタルカメラ４のＬＣＤ表示部１０には正面から見た樹木の画像が表示されている。この状態においてデジタルカメラ４の筐体８をＬＣＤ表示部１０の表示面に対する法線に直交する水平線回りに傾けると、ＬＣＤ表示部１０に表示されている画像は、筐体８と共に傾き、ＤＰＦ６のディスプレイ２２には、見上げたような樹木の画像、または見下ろしたような樹木の画像が表示される。
【００２６】
次に、図１１に示すフローチャートを参照して実施の形態に係るカメラシステムにおける第２フリー変形モードの処理について説明する。まず、再生モードにおいてモードボタン１１が押下されるとＬＣＤ表示部１０にモードメニューが表示される。マルチセレクタ１２が操作されることによりモードメニューから第２フリー変形モードが選択され、ＯＫボタン１３が押下されると第２フリー変形モードが設定される（ステップＳ４１）。次に、ＣＰＵ３０は、加速度センサ４０により、ＬＣＤ表示部１０に対する法線に直交する水平線回りの筐体８の傾斜角度を計測する（ステップＳ４２）。なお、第２フリー変形モード設定時において計測した筐体８の傾斜角度を基準（０°基準）として以後の傾斜角度の計測を行う。次に、ＣＰＵ３０は、画像制御部４４を制御してＬＣＤ表示部１０に表示している画像の画像データを、計測した傾斜角度傾ける変形を行い、ディスプレイ２２に表示する表示用画像データの生成を行う（ステップＳ４３）。この表示用画像データは、無線通信部５０を介してＤＰＦ６に対して送信され（ステップＳ４４）、見上げたような画像、または見下したような画像がディスプレイ２２に表示される（図１０参照）。
【００２７】
なお、ＤＰＦ６側で画像データを変形し、表示用画像データを生成するようにしてもよい。即ち、デジタルカメラ４のＣＰＵ３０は、筐体８の傾斜角度を計測した後、画像データと共に傾斜角度に関する情報を無線通信部５０、ＤＰＦ６の無線通信部７２を介してＤＰＦ６に対して送信するようにしてもよい。この場合、ＤＰＦ６のＣＰＵ６０は、無線通信部７２を介して画像データ及び傾斜角度に関する情報を受信すると、図示しないＤＰＦ６側の画像制御部を制御して傾斜角度に基づいて画像データに基づく画像を、計測した傾斜角度傾ける変形を行い、ディスプレイ２２に表示する表示用画像データの生成を行う。次に、表示制御部６４を制御して表示用画像データに基づく画像をディスプレイ２２に表示する。
【００２８】
この実施の形態に係るカメラシステム２によれば、ボタン操作等を行うことなく、容易に表示画像を変形させることができる。また、デジタルカメラ４のメモリカード４６に縦姿勢の画像と横姿勢の画像の画像データが混在して記憶されている場合であっても、画像の縦横姿勢に合わせるためにＤＰＦ６の装置本体２０を回転させる必要がない。また、ディスプレイ２２に表示する画像の表示状態を操作者が容易に変更できるため、さまざまな角度から見た画像を楽しむことができる。また、表示用画像データをメモリカード６８に記憶することにより、表示用画像データに基づく変形した画像をディスプレイ２２にスライドショーとして表示することができる。
【００２９】
また、上述の実施の形態においては、加速度センサ４０により計測した傾斜角度に基づいて画像データを変形しているが、傾斜角度に基づいて画像の表示エリアを変更してもよい。例えば、ＬＣＤ表示部１０に画像全体の一部が表示されている場合において、デジタルカメラ４の筐体８を右方向に傾けるとＬＣＤ表示部１０に表示されている画像の表示エリアを右方向にスクロールさせ、左方向に傾けると左方向にスクロールさせ、筐体８を仰向けに倒して傾けると上方向にスクロールさせ、筐体８を手前に倒して傾けると下方向にスクロールさせる。このスクロールによりＬＣＤ表示部１０に表示された表示エリアがＤＰＦ６のディスプレイ２２に表示されるようにしてもよい。この場合、操作者が例えばＯＫボタンを押下すること等により表示エリアが確定されると、ＣＰＵ３０は、画像制御部４４を制御して、ＬＣＤ表示部１０に表示している画像の画像データから、スクロールによりＬＣＤ表示部１０に表示された表示エリアの表示用画像データを生成する。この表示用画像データは、無線通信部５０、ＤＰＦ６の無線通信部７２を介してＤＰＦ６に対して送信され、スクロールによりＬＣＤ表示部１０に表示された表示エリアの画像がディスプレイ２２に表示される。これにより、マルチセレクタ等による操作を行うことなく、ディスプレイ２２に所望の表示エリアを表示することができる。
【００３０】
また、この場合において、ＤＰＦ６側で表示用画像データを生成する場合は、デジタルカメラ４のＣＰＵ３０は、画像データと共に傾斜角度に関する情報を無線通信部５０、ＤＰＦ６の無線通信部７２を介してＤＰＦ６に対して送信するようにしてもよい。この場合、ＤＰＦ６のＣＰＵ６０は、無線通信部７２を介して画像データ及び傾斜角度に関する情報を受信する。ＣＰＵ６０は、傾斜角度に基づいて画像データからディスプレイ２２に表示する表示エリアを決定し、図示しないＤＰＦ６側の画像制御部を制御して、画像データから表示エリアの表示用画像データを生成し、表示制御部６４を制御して、表示エリアの画像をディスプレイ２２に表示する。
【００３１】
また、上述の実施の形態においては、加速度センサ４０により計測した傾斜角度に基づいて画像データを変形しているが、傾斜角度に基づいてサムネイル画像を変更してもよい。例えば、デジタルカメラ４の筐体８を傾斜させることにより、ＬＣＤ表示部１０に表示されている複数のサムネイル画像の中から、選択するサムネイル画像を変更できるようにしてもよい。具体的に説明すると、まず、ＬＣＤ表示部１０には０１〜０９までの９つのサムネイル画像が表示されており、現在「サムネイル画像０５」がカーソルにより選択されている。ここで、「サムネイル画像０５」はＬＣＤ表示部１０において９つのサムネイル画像の中心に位置するものとする。この場合、デジタルカメラ４の筐体８を右方向に傾けると「サムネイル画像０６」がカーソルにより選択され、左方向に傾けると「サムネイル画像０４」がカーソルにより選択され、筐体８を仰向けに倒して傾けると「サムネイル画像０２」がカーソルにより選択され、筐体８を手前に倒して傾けると「サムネイル画像０８」がカーソルにより選択され、選択されたサムネイル画像がディスプレイ２２に表示されるようにしてもよい。
【００３２】
この場合、操作者が例えばＯＫボタンを押下すること等により選択したサムネイル画像が確定されると、ＣＰＵ３０は、画像制御部４４を制御して、選択したサムネイル画像の元の画像データから、ディスプレイ２２に表示する表示用画像データを生成する。この表示用画像データは、無線通信部５０、ＤＰＦ６の無線通信部７２を介してＤＰＦ６に対して送信され、ディスプレイ２２に表示される。これにより、マルチセレクタ等による操作を行うことなく、サムネイル画像の選択を行うことができる。
【００３３】
また、この場合において、ＤＰＦ６側で表示用画像データを生成する場合は、デジタルカメラ４のＣＰＵ３０は、ＬＣＤ表示部１０に表示されている複数のサムネイル画像の元の画像データと共に傾斜角度に関する情報を無線通信部５０、ＤＰＦ６の無線通信部７２を介してＤＰＦ６に対して送信する。ＤＰＦ６のＣＰＵ６０は、無線通信部７２を介して元の画像データ及び傾斜角度に関する情報を受信する。ＣＰＵ６０は、傾斜角度に基づいてディスプレイ２２に表示する画像を決定し、図示しないＤＰＦ６側の画像制御部を制御して、決定した画像の画像データからディスプレイ２２に表示する画像の表示用画像データを生成し、表示制御部６４を制御して、ディスプレイ２２に画像を表示する。
【００３４】
また、上述の実施の形態においては、加速度センサ４０により計測した傾斜角度に基づいて画像データを変形しているが、加速度センサ４０により衝撃を検知し、所定の衝撃を検知した場合に所定の処理を行うカメラジェスチャー機能を設けてもよい。例えば、デジタルカメラ４を強く振るとディスプレイ２２に表示している画像をコマ送りする等の機能を設けてもよい。
【００３５】
また、上述の実施の形態においては、ＤＰＦ６側で表示用画像データを生成する場合において、画像データを傾斜角度に関する情報等と共にＤＰＦ６に対して送信しているが、傾斜角度に関する情報等のみを送信するようにしてもよい。即ち、デジタルカメラ４から傾斜角度に関する情報等が無線通信部５０、ＤＰＦ６の無線通信部７２を介してＤＰＦ６に対して送信された場合、ＤＰＦ６のＣＰＵ６０は、傾斜角度に関する情報等を受信すると共に、メモリカード６８からディスプレイ２２に表示されている画像の画像データを読み出し、図示しないＤＰＦ６側の画像制御部において画像データを変形する画像処理を行うことにより表示用画像データを生成するようにしてもよい。これにより、容量の大きい画像データの送信を行う必要がなくなる。
【００３６】
また、ＤＰＦ６のディスプレイ２２に表示さている画像をデジタルカメラ４で撮像してＬＣＤ表示部１０に表示し、デジタルカメラ４の筺体８を傾けることにより、ディスプレイ２２に表示されている画像を傾けるようにしてもよい。以下、図１２に示すフローチャートを参照して説明する。例えば、デジタルカメラ４の図示しないライブビューボタンが操作されることによりライブビューモードを設定し、ＤＰＦ６のディスプレイ２２をライブビュー撮像すると、ディスプレイ２２に表示されている画像がＬＣＤ表示部１０にスルー画として表示される（ステップＳ５１）。次に、ＣＰＵ３０は、加速度センサ４０により、筐体８の傾斜角度の計測を行う（ステップＳ５２）。なお、ディスプレイ２２の撮像を開始した時点において計測した筐体８の傾斜角度を基準（０°基準）として以後の傾斜角度の計測を行う。次に、筐体８の傾斜角度に関する情報を無線通信部５０、ＤＰＦ６の無線通信部７２を介してＤＰＦ６に対して送信する（ステップＳ５３）。次に、ＤＰＦ６のＣＰＵ６０は、無線通信部７２を介して傾斜角度に関する情報を受信すると共にメモリカード６８からディスプレイ２２に表示されている画像の画像データを読み出し、図示しないＤＰＦ６側の画像制御部を制御して画像データに基づく画像を傾斜角度に基づいて傾斜させる変形を行うことにより、ディスプレイ２２に表示する表示用画像データを生成し、表示用画像データに基づく画像をディスプレイ２２に表示する（ステップＳ５４）。これにより、操作者は、ＬＣＤ表示部１０を見ながらディスプレイ２２に表示される画像の傾斜を調整することができる。
【００３７】
また、上述の実施の形態においては、縦横固定角回転モードなど単一のモードを例に説明しているが、重複してモードを設定できるようにしてもよい。例えば、縦横固定角回転モードを設定して筐体８を傾け、ＤＰＦ６のディスプレイ２２に表示されている画像を、ディスプレイ２２の表示面に対する法線回りに９０度回転させた後、更に第１フリー変形モードを設定して筐体８を傾け、ディスプレイ２２の表示面に対する法線に直交する垂線回りに傾けてもよい。これにより、デジタルカメラ４のＬＣＤ表示部１０に表示されている画像に関して見えている状態の画像を、正確にディスプレイ２２に再現することができる。
【００３８】
また、上述の実施の形態においては、デジタルカメラ４を傾けると特に操作を行うことなく表示制御部６４による表示用画像データの変形処理や、無線通信部７２による傾斜角度情報のＤＰＦ６への送信処理を行っているが、これに限定されるものではない。表示制御部６４による表示用画像データの変形処理や、無線通信部７２による傾斜角度情報の送信処理は、ユーザによるデジタルカメラ４の傾斜角度確定操作が行われた後に行うようにしてもよい。この場合の傾斜角度確定操作は、ＯＫボタン１３等を用いることにより実現可能である。
【００３９】
また、上述の実施の形態においては、無線通信部５０、ＤＰＦ６の無線通信部７２を介して表示用画像データの送受信を行っているが、有線通信手段を用いてもよい。例えば、デジタルカメラ４及びＤＰＦ６がそれぞれＵＳＢ端子を有し、ＵＳＢケーブルを介して通信を行うようにしてもよい。これにより、セキュリティレベルの高い安定した通信を行うことができる。
【００４０】
また、上述の実施の形態においては、電子機器としてデジタルカメラ４を例に説明したが、携帯電話等の他の電子機器においても、上述の実施の形態における傾斜角度を計測する加速度センサ及びデジタルフォトフレームとの間で通信を行う機能を備えることにより本発明を適用することができる。
【００４１】
また、上述の実施の形態においては、画像表示装置としてＤＰＦ６を例に説明したが、テレビジョン等の他の画像表示装置においても、本発明を適用することができる。
【符号の説明】
【００４２】
２…カメラシステム、４…デジタルカメラ、６…ＤＰＦ、８…筐体、１０…ＬＣＤ表示部、１１…モードボタン、１２…マルチセレクタ、１３…ＯＫボタン、１４…電源スイッチ、１５…再生ボタン、１６…レリーズボタン、２０…装置本体、２２…ディスプレイ。
【図１】
2011135298.tif 000003
【図２】
2011135298.tif 000004
【図３】
2011135298.tif 000005
【図４】
2011135298.tif 000006
【図５】
2011135298.tif 000007
【図６】
2011135298.tif 000008
【図７】
2011135298.tif 000009
【図８】
2011135298.tif 000010
【図９】
2011135298.tif 000011
【図１０】
2011135298.tif 000012
【図１１】
2011135298.tif 000013
【図１２】
2011135298.tif 000014